(57)【特許請求の範囲】
【請求項１】
壁面などに取付けられ、ファンモータおよび、このファンモータにより駆動されるファンを備えた本体と、
この本体の前面に着脱自在に取付けられ、上記ファンによって導かれる空気を通す通気孔を有する化粧パネルとを具備した換気機器において、
上記化粧パネルに設けられ、後側へ延びるとともに、先端を爪状とした掛止部と、
この掛止部と対向して上記本体に設けられ、その開口周縁に沿って周壁が一体に形成される取付け用開口部と、
この取付け用開口部の上部壁に設けられ、取付け用開口部の上部壁と下部壁との間に上記化粧パネルの掛止部が挿入された状態で掛合する受け部とを備え、
上記取付け用開口部の上部壁と下部壁との間隔寸法Ｃを、上記掛止部の突出長さ寸法Ｄよりも短く（Ｄ＞Ｃ）設定したことを特徴とする換気機器。
【請求項２】
上記本体に突条が設けられ、上記化粧パネルに上記突条と掛合する嵌合用突起が設けられ、この嵌合用突起と突条との掛かり代Ａは、上記掛止部と受け部との掛かり代Ｂよりも大（Ａ＞Ｂ）に設定したことを特徴とする請求項１記載の換気機器。
【請求項３】
上記化粧パネルにおける上記掛止部の根元付近で、かつこの外面側に化粧パネルを本体から外す際に手指を掛けるための把手部が設けられることを特徴とする請求項１および請求項２のいずれかに記載の換気機器。
【請求項４】
上記化粧パネルにおける上記掛止部の根元と同一部位で、かつこの外面側に化粧パネルを本体から外す際に手指を掛けるための把手部が設けられることを特徴とする請求項１および請求項２のいずれかに記載の換気機器。
【請求項５】
上記把手部は、その先端付近にリブが設けられることを特徴とする請求項３および請求項４のいずれかに記載の換気機器。
【発明の詳細な説明】
【０００１】
【発明の属する技術分野】
本発明は、たとえばダクト用パイプの開口端に取付けられ、室内の換気をなす換気機器に関する。
【０００２】
【従来の技術】
たとえば、図９に示すような、換気機器が用いられている。この換気機器は、壁の開口部あるいはパイプの開口端に嵌め込まれる本体１と、この本体１の前面部に着脱自在に取付けられ、本体を室内から遮蔽する化粧パネル２とから構成されている。
【０００３】
上記本体１には、ファンモータＭおよび、このファンモータＭの回転軸ａに嵌着されるファンＦが取付けられる。また、化粧パネル２にはファンＦを回転駆動することにより導かれる室内空気を通す通気孔３が設けられている。
【０００４】
ある期間、この換気機器を使用すると、化粧パネル２の通気孔３周縁は勿論のこと、本体１とファンＦおよびファンモータＭにも塵埃などが付着する。そのために、上記化粧パネル２を本体１に対して着脱自在とし、化粧パネル２とともに、本体１とファンＦおよびファンモータＭを露出させ、これらに付着した塵埃などを除去し易い構成としている。
【０００５】
【発明が解決しようとする課題】
このような換気機器において、化粧パネル２を本体１に対して着脱自在とするために、本体１の周縁に形成される折曲壁１ａの上下部外面に複数ヶ所づつの突条４が設けられている。また、化粧パネル２の折曲壁２ａ上下部内面に複数ヶ所づつの嵌合用突起５が設けられる。
【０００６】
そして、本体１の折曲壁１ａに化粧パネル２の折曲壁２ａが嵌め込まれる。この状態で、化粧パネル２の嵌合用突起５が本体１の突条４を乗り越えて後側に突出して掛合し、化粧パネル２の抜け止めをなす。
【０００７】
しかるに、複数回の化粧パネル２の着脱作業によって、特に化粧パネル２上部側の嵌合用突起５が破損し、もしくは欠落することがある。たとえ１ヶ所の嵌合用突起５の破損もしくは欠落であっても、化粧パネル２の位置ずれが生じてついには脱落の危険さえある。
【０００８】
本発明は、上述の事情に鑑みなされたものであり、その目的とするところは、本体に化粧パネルを着脱自在に取付けることを前提に、たとえ互いの掛合部位が破損もしくは欠落するようなことがあっても、化粧パネルの脱落を確実に防止して信頼性の向上を図った換気機器を提供しようとするものである。
【０００９】
【課題を解決するための手段】
本発明の換気機器は上記目的を満足するためになされたものであり、請求項１として、壁面などに取付けられファンモータおよびこのファンモータにより駆動されるファンを備えた本体と、この本体の前面に着脱自在に取付けられファンによって導かれる空気を通す通気孔を有する化粧パネルとを具備した換気機器において、化粧パネルに設けられ後側へ延びるとともに先端を爪状とした掛止部と、この掛止部と対向して本体に設けられその開口周縁に沿って周壁が一体に形成される取付け用開口部と、この取付け用開口部の上部壁に設けられ取付け用開口部の上部壁と下部壁との間に化粧パネルの掛止部が挿入された状態で掛合する受け部とを備え、取付け用開口部の上部壁と下部壁との間隔寸法Ｃを、掛止部の突出長さ寸法Ｄよりも短く（Ｄ＞Ｃ）設定したことを特徴とする。
【００１０】
請求項２として、請求項１記載の換気機器において本体に突条が設けられ、化粧パネルに突条と掛合する嵌合用突起が設けられ、この嵌合用突起と突条との掛かり代Ａは掛止部と受け部との掛かり代Ｂよりも大（Ａ＞Ｂ）に設定したことを特徴とする。
【００１１】
請求項３として、請求項１および請求項２のいずれかに記載の換気機器において化粧パネルにおける掛止部の根元付近で、かつこの外面側に化粧パネルを本体から外す際に手指を掛けるための把手部が設けられることを特徴とする。
【００１２】
請求項４として、請求項１および請求項２のいずれかに記載の換気機器において化粧パネルにおける掛止部の根元と同一部位で、かつこの外面側に把手部が設けられることを特徴とする。
【００１３】
請求項５として、請求項３および請求項４のいずれかに記載の換気機器において把手部は、その先端付近にリブが設けられることを特徴とする。
【００１４】
このような課題を解決する手段を採用することにより、本体に化粧パネルを着脱自在とすることを前提に、たとえ掛合部が欠落あるいは破損するようなことがあっても、化粧パネルの脱落を確実に防止する。
【００１５】
【発明の実施の形態】
以下、本発明の実施の形態を、図面を参照しながら説明する。
図１は換気機器を分解した斜視図であり、図２は換気機器の組立た状態での縦断面図であり、図３は換気機器を構成する本体の斜視図であり、図４は換気機器を構成する化粧パネルの一部斜視図である。
【００１６】
この換気機器は、本体１Ａと化粧パネル２Ａら構成される。上記本体１Ａは、たとえば室内と室外とを連通するダクト用のパイプ（図示しない）の開口端に取付けられている。この本体１ＡにはファンモータＭが取付け具を介して取付け固定される。ファンモータＭの回転軸ａは本体１Ａの中心部に向けて突出しており、ここにファンＦが着脱可能に嵌着されている。
【００１７】
この本体１Ａの前面側は矩形状の板体となっていて、中心部であるファンＦとの対向面に開口部が設けられベルマウス１０が嵌め込まれている。本体１Ａ前面周縁に沿って後方に折曲される折曲壁１ｂが一体に設けられる。図の上部と下部の折曲壁１ｂに、それぞれ２ヶ所づつの突条４が設けられている。上記突条４を、図５（Ａ）（Ｂ）（Ｃ）にそれぞれ拡大して示す。
【００１８】
さらに、本体１Ａの折曲壁１ｂ下部側で、上記突条４，４の相互間に取付け用開口部１１が設けられる。この取付け用開口部１１の前面は、図５（Ａ）にも示すように、矩形状をなす開口であり、この周縁に沿って後方に突出する周壁部１２が設けられる。
【００１９】
特に、下部壁１２ａの前端は本体１Ａ前面からある程度後方にずれた位置に形成されるが、上部壁１２ｂと左右側面壁１２ｃは本体１Ａ前面と同一面になっている。この周壁部１２の各面後端は全て同一量だけ突出していて、下部壁１２ａの後端のみ上方に立上り形成される。このことから、取付け用開口部１１の後面は、その前面よりも立上り形成分だけ小さな矩形状開口となっている。
【００２０】
そして、上部壁１２ｂの奥行き方向のほぼ中間部に幅方向に亘って受け部１３が突設される。この受け部１３は、上部壁１２ｂから下方に垂直に突出していて、突出長さは上，下部壁１２ｂ，１２ａ相互間の略１／２から１／３程度の長さに形成されている。
【００２１】
一方、化粧パネル２Ａは、正面視で矩形状の板面をなし、この矩形板面の周縁が後方に一体に折曲される折曲壁２ｂとなっている。この化粧パネル２Ａの前面には、それぞれが細く幅方向に亘って開口する複数の通気孔３が、互いに平行して設けられる。
【００２２】
化粧パネル２の折曲壁２ｂの上下部それぞれの内面に２ヶ所づつの嵌合用突起５が設けられる。これら嵌合用突起５が設けられる位置は、上記本体１Ａの突条４が設けられる位置と全く一致する。
【００２３】
そして、化粧パネル２Ａの折曲壁２ｂ下部の内面で、この幅方向のほぼ中央部に掛止部である掛止爪１５が一体に設けられる。この掛止爪１５が設けられる位置は、本体１Ａの取付け用開口部１１が設けられる位置と全く一致する。
【００２４】
上記掛止爪１５は、所定の幅寸法に形成され、折曲壁２ｂから後端側へ突出している。その基端部においては斜めに形成されているが、中途部で折曲壁２ｂと平行面になり、かつその先端は上方に突出する爪状となっている。
【００２５】
図６（Ａ）に示すように、取付け用開口部１１の周壁部１２における上部壁１２ｂと下部壁１２ａとの間隔寸法Ｃは、掛止爪１５の突出長さ寸法（周壁部１２の奥行き寸法と略一致する）Ｄよりも小（Ｄ＞Ｃ）に寸法設定されている。
【００２６】
また、図６（Ｂ）に示すように、取付け用開口部１１の両側に設けられる突条４と嵌合用突起５との掛かり代Ａは、本体受け部１３と化粧パネル掛止爪１５の掛かり代Ｂよりも大（Ａ＞Ｂ）に寸法設定されている。
【００２７】
このようにして構成される換気機器であり、ダクト用パイプに本体１Ａが設けられており、この前面部に化粧パネル２Ａが着脱自在に取付けられている。具体的には、本体１Ａの突条４に化粧パネルの嵌合用突起５が掛止して、本体１Ａに化粧パネル２Ａが取付けられる。
【００２８】
さらに、化粧パネル２Ａの掛止爪１５が本体１Ａの取付け用開口部１１内に挿入され、かつ爪先端が受け部１３に掛止している。したがって、化粧パネル２Ａの折曲壁２ｂ下部面と掛止爪１５との間に、本体１Ａの周壁部１２を形成する、特に下部壁１２ａが介在する。
【００２９】
通常、換気機器は上述の状態で使用される。何らかの理由で、本体１Ａ上部の突条４もしくは化粧パネル２Ａ上部の嵌合用突起５が破損したり欠落して、互いの掛合が外れることがある。
【００３０】
このとき、化粧パネル２Ａの上部が手前側に倒れて傾いた姿勢となるが、図７に示すように、本体１Ａの取付け用開口部１１を形成する周壁部１２の下部壁１２ａが支点となって掛止爪１５先端が受け部１３に食い込み、かつ化粧パネル折曲壁２ｂ下部先端が下部壁１２ａ下面に当接するので、化粧パネル２Ａ自体が本体１Ａから外れて脱落することがない。
【００３１】
これは、先に説明したように、取付け用開口部１１の周壁部１２における上部壁１２ｂと下部壁１２ａとの間隔寸法Ｃを、掛止爪１５の突出長さ寸法（周壁部１２の奥行き寸法と略一致する）Ｄよりも小（Ｄ＞Ｃ）に寸法設定したことにもよる。
【００３２】
したがって、突然、化粧パネル２Ａの上端部が本体１Ａから外れて傾くようなことがあっても、これらの下部側に設けた受け部１３と掛止爪１５との掛合構造の採用によって化粧パネル２Ａの落下を防止でき、危険がない。
【００３３】
この換気機器に付着した塵埃を除去するため化粧パネル２Ａを本体１Ａから取外しするときは、手指を取付け用開口部１１の後端側に回して、この開口から内部に挿入する。そして、掛止爪１５先端を本体１Ａの突条１３から外して、化粧パネル２Ａを手前側に引出す。
【００３４】
このとき、化粧パネル２Ａの嵌合用突起５を本体１Ａの突条４から外す。すなわち、突条４と嵌合用突起５との掛かり代Ａを、受け部１３と掛止爪１５との掛かり代Ｂよりも大（Ａ＞Ｂ）に形成したので、化粧パネル折曲壁２ｂ下部よりもたわみ量の少ない掛止爪１５から外すことになり、よって化粧パネル２Ａを外し易い。
【００３５】
なお、付着していた塵埃などを除去したあと、再び化粧パネル２Ａを本体１Ａに取付けるには、本体１Ａ前面に化粧パネル２Ａを対向させ、そのまま押し込めばよい。化粧パネル２Ａの嵌合用突起５が本体１Ａの突条４に当接し、これを乗り越えることにより互いの掛合が確保される。
【００３６】
同時に、化粧パネル２Ａの掛止爪１５先端が本体１Ａの取付け用開口部１１に挿入されて受け部１３に当接し、さらにこれを乗り越えて掛合する。すなわち、先に説明したように、何らかの事情で化粧パネル２Ａの上端部が本体１Ａから外れても、化粧パネル２Ａの脱落を防止する構成となる。
【００３７】
なお、化粧パネル２Ａを本体１Ａから取外しする際に、手指をこの後端側に回して取付け用開口部１１の後端から挿入し、掛止爪１５の先端を受け部１３から外すようにしたが、これに限定されるものではない。
【００３８】
たとえば、図８（Ａ）に示すように、化粧パネル２Ａの折曲壁２ｂの下部外面で、上記掛止爪１５の基端部近傍位置に把手部２０Ａを一体に設けた構成にしてもよい。
【００３９】
この把手部２０Ａに手指を掛けて手前側に引くことにより、化粧パネル２Ａの折曲壁２ｂ下部面が変位し易くなり、掛止爪１５先端が撓んで突条１３から容易に外れ、作業性が向上する。
【００４０】
あるいは図８（Ｂ）に示すように、上記と同様の目的から、化粧パネル２Ａの折曲壁２ｂ下部面で、かつ掛止爪１５の根元に一致する位置に把手部２０Ｂを一体に設けてもよい。把手部２０Ｂをこの位置を限定することにより、化粧パネル２Ａの成型時に部分的なヒケが生じることがなく、外観がよい。
【００４１】
あるいは、図８（Ｃ）に示すように、上記同様の目的から、掛止爪１５の根元に対向して（もしくはその近傍でもよい）把手部２０Ｃを一体に設けており、この把手部に手指の引っ掛かりとなるリブｄを一体に設けてもよい。この場合、手指が把手部２０Ｃに引っ掛り易く、さらに作業性が良くなる。
【００４２】
【発明の効果】
以上説明したように本発明によれば、本体に化粧パネルを着脱自在に取付けることを前提に、長期に亘って破損もしくは欠落の危険のない構成で化粧パネルの脱落を確実に防止し、信頼性の向上を得られるという効果を奏する。
【図面の簡単な説明】
【図１】本発明の実施の形態を示す、換気機器の分解した斜視図。
【図２】同実施の形態を示す、換気機器の断面図。
【図３】同実施の形態を示す、本体の斜視図。
【図４】同実施の形態を示す、化粧パネルの一部斜視図。
【図５】同実施の形態を示す、本体の互いに異なる要部の斜視図。
【図６】同実施の形態を示す、本体と化粧パネルの部分的な掛かり代を説明する図。
【図７】同実施の形態を示す、化粧パネル上部が本体上部から外れたときの、本体下部における化粧パネルの掛止状態を説明する図。
【図８】互いに異なる実施の形態を示す、化粧パネル把手部を説明する図。
【図９】従来の、換気機器の断面図。
【符号の説明】
Ｍ…ファンモータ、
Ｆ…ファン、
１Ａ…本体、
３…通気孔、
２Ａ…化粧パネル、
１５…掛止爪（掛止部）、
１１…取付け用開口部、
１３…受け部、
４…突条、
５…嵌合用突起、
２０Ａ，２０Ｂ，２０Ｃ…把手部、
ｄ…リブ。
【図１】
0004108902.tif 000002
【図２】
0004108902.tif 000003
【図３】
0004108902.tif 000004
【図４】
0004108902.tif 000005
【図５】
0004108902.tif 000006
【図６】
0004108902.tif 000007
【図７】
0004108902.tif 000008
【図８】
0004108902.tif 000009
【図９】
0004108902.tif 000010